(57)【要約】【課題】ハンドルを備えた携帯式作業機の左右への移動の操作性を損なうことなく、上下への移動の操作性を向上させる。【解決手段】右グリップの拡大ヘッド42は、右方向に拡大している外側拡大部46を有し、その下面46aが前方に向けて仰角Aを有する傾斜面で構成されている。また、拡大ヘッド42の上面において、その後部42cは後方に向けて斜め下方に傾斜した比較的平らな面で構成されている。この構成により、右グリップ20のグリップ部40を把持する右手の人差し指と親指を使って刈刃4を上げ下げすることができる。【選択図】図7
2015050985.tif 000002
【特許請求の範囲】
【請求項１】
作業者が手で操作するハンドルを備え且つ該ハンドルの起立した端部に嵌装されるグリップを有する携帯式作業機を前提として、
前記グリップが、作業者が手で握るための上下方向に延びるグリップ部と、該グリップ部の上端に位置する拡大ヘッドとを有し、
前記拡大ヘッドが、前方に延びる前方拡大部と、外方に延び且つ前記グリップ部を握る手の人差し指が係合可能な下面を有する外側拡大部とで構成され、
前記外側拡大部の下面が、外側方に向けて仰角を有する傾斜面で構成されていることを特徴とする携帯式作業機用のグリップ。
【請求項２】
前記外側拡大部の下面が、前方に向けて仰角を有する傾斜面で構成されている、請求項１に記載の携帯式作業機用のグリップ。
【請求項３】
前記拡大ヘッドの上面の後部が後方且つ下方に傾斜した傾斜面で構成され、
該上面の傾斜した後部に、前記グリップ部を把持している手の親指を乗せて力を入れることができる、請求項１又は２に記載の携帯式作業機用のグリップ。
【請求項４】
前記外側拡大部の下面の外側方に向けての仰角が約１０°〜約４０°である、請求項１に記載の携帯式作業機用のグリップ。
【請求項５】
前記外側拡大部の下面の外側方に向けての仰角が約２０°〜約３０°である、請求項１に記載の携帯式作業機用のグリップ。
【請求項６】
前記外側拡大部の下面の前方に向けての仰角が約５°〜約３０°である、請求項２に記載の携帯式作業機用のグリップ。
【請求項７】
前記外側拡大部の下面の前方に向けての仰角が約１０°〜約２０°である、請求項２に記載の携帯式作業機用のグリップ。
【請求項８】
前記グリップの前面にスロットルトリガが配置され、
該スロットルトリガの操作面が凹凸の無い面で構成されている、請求項１に記載の携帯式作業機用のグリップ。
【請求項９】
前記携帯式作業機が刈払機である、請求項１〜８のいずれか一項に記載の携帯式作業機用のグリップ。
【請求項１０】
前記携帯式作業機が背負い式の送風機である、請求項１〜８のいずれか一項に記載の携帯式作業機用のグリップ。
【請求項１１】
動力源と、
該動力源から離れた位置に位置する刈刃と、
前記動力源の回転駆動力を前記刈刃に伝える動力伝達シャフトを包囲する操作桿と、
該操作桿から左右に延びるハンドルとを有する刈払機において、
前記ハンドルの右端部に嵌装されてネジ止めされた右グリップと、
前記ハンドルの左端部に嵌装されてネジ止めされた左グリップとを有し、
前記右グリップは、
右手で把持するグリップ部と、該グリップ部の上端に位置する拡大ヘッドと、前記グリップ部の前面に配置され且つ作業者が操作することにより前記動力源の出力を制御するスロットルトリガとを有し、
前記右グリップの前記拡大ヘッドが、前方に延びる前方拡大部と、右方に延び且つ前記グリップ部を握る右手の人差し指が係合可能な下面を有する外側拡大部とで構成され、
前記外側拡大部の下面が、前方に向けて仰角を有する傾斜面で構成され、
前記拡大ヘッドの上面の後部が後方且つ下方に傾斜した傾斜面で構成され、該上面の傾斜した後部に、前記グリップ部を把持している手の親指を乗せて力を入れることができ、
前記左グリップは、
左手で把持するグリップ部と、該グリップ部の上端に位置する拡大ヘッドとを有し、
前記左グリップの前記拡大ヘッドが、前方に延びる前方拡大部と、左方に延び且つ前記グリップ部を握る左手の人差し指が係合可能な下面を有する外側拡大部とで構成され、
前記外側拡大部の下面が、前方に向けて仰角を有する傾斜面で構成され、
前記拡大ヘッドの上面の後部が後方且つ下方に傾斜した傾斜面で構成され、該上面の傾斜した後部に、前記グリップ部を把持している手の親指を乗せて力を入れることができる刈払機。
【発明の詳細な説明】
【技術分野】
【０００１】
本発明は、操作ハンドルを備えた携帯式作業機のグリップに関し、典型的には刈払機や送風機（ブロアー）に好適に適用することのできるグリップ及びこれを備えた刈払機に関する。
【背景技術】
【０００２】
駆動源を備えた携帯式作業機には、手持ち式（例えば特許文献５）と背負い式（特許文献２）とがある。手持ち式は、作業機の後端部に駆動源を備えている。他方、背負い式の作業機は、駆動源であるエンジンを背中に背負う形式の作業機である。携帯式作業機は操作ハンドルを有し、この操作ハンドルを作業者が手で握って作業を行う。その典型例が送風機（特許文献３）であり、また、刈払機（特許文献１）である。
【０００３】
特許文献１は刈払機を開示している。刈払機は、田畑や森林に生える雑草や丈の低い低木などを刈り払うのに用いられる。刈払機は、動力源から離れて位置する刈刃と、この刈刃に回転力を伝達するシャフトと、このシャフトを包囲する操作桿を有している。
【０００４】
作業者は操作桿を左右、上下に往復操作することで草木を刈り払う。この作業を的確にするために操作桿には、その左右に延びるハンドルに右手用と左手用のグリップが設置される。作業者は左右のグリップを把持して作業を行う。
【０００５】
特許文献１は、肘当てを備えた刈払機を前提として、操作桿から直立した右手又は左手で把持可能な１本のハンドルに装着されたグリップを開示している。このグリップは、断面円形のグリップ部とその上端に位置し且つグリップ部から外方に突出した横断面円形の鍔部とを有している。この直立したグリップを例えば右手で把持するときには、右肘を肘当てに乗せた状態でグリップを右手で把持する。
【０００６】
特許文献４は、特許文献１と同様に肘当てを備えた刈払機を開示している。この特許文献４は、操作桿から任意の方向に位置決め可能な１本のハンドルを有し、このハンドルに装着されたグリップを開示している。例えば右横方向に延びるように位置決めしたときには右手の手の平を上に向けた状態でグリップを把持することができる。特許文献４に開示のグリップも横断面円形のグリップ部と、その端に位置し且つグリップ部から外方に突出した円形断面の鍔部とを有している。この横方向に延びるグリップを例えば右手で把持するときには、右肘を肘当てに乗せた状態でグリップを把持することができる。
【０００７】
特許文献５は、操作桿から左右に延びるハンドルを有し、このハンドルの右端及び左端に夫々配置されたグリップを開示している。この左右のグリップは、横方向に延びる第１のグリップ部と、この第１のグリップ部の先端から上下又は下方に延びる第２のグリップ部とを有している。すなわち、特許文献５は、横にしたＴ字の輪郭形状又は逆にしたＬ字の輪郭形状を有している。このようなＴ字又はＬ字状のグリップは、第１、第２のグリップ部が共に円形の横断面を有している。
【０００８】
特許文献６は、特許文献５と同様に操作桿から左右に延びるハンドルを備えた刈払機を開示している。このハンドルは左右の中間部分を上方に曲げたＵ字状の形状を有している。そして、このハンドルの斜め上方に延びる左右の端部にグリップが配置されている。
【０００９】
このグリップはゴムなどの弾性成型品であり、ハンドルの左右の端部に嵌装されている。左右のグリップは、前後方向を長軸とし、横方向を短軸とした楕円の断面形状のグリップ部を有していている。左右のグリップのうち左グリップは、グリップ部の上端に外方に突出した横断面円形の鍔部を有している。この鍔部はグリップ部の軸線を中心として回転可能である。
【００１０】
特許文献６は左グリップの変形例として、鍔部をグリップ部に対してボールジョイントを介して連結する構造を開示している。この変形例によれば、鍔部は回転可能であると共にボールジョイントを中心にしてスイング可能である。
【先行技術文献】
【特許文献】
【００１１】
【特許文献１】特開２００３−２２５０１２号公報
【特許文献２】特開２０１３−９２０７３号公報
【特許文献３】特開２０１３−４４３０５号公報
【特許文献４】特開２００９−１８３１８８号公報
【特許文献５】実開平３−９２９１９号公報
【特許文献６】特開２０１３−７８２６８号公報
【発明の概要】
【発明が解決しようとする課題】
【００１２】
刈払機は比較的小型のタイプと比較的大型のタイプとが用意されている。小型のタイプは田畑に生えた雑草の刈り払いに用いられ、作業者の操作は、刈刃を左右に移動させて雑草を刈り払う操作が主体となる。
【００１３】
大型のタイプは森林で草木を刈り払うのに用いられ、この作業者はプロフェッショナルであるのが一般的である。そして、その作業は刈刃を左右に移動させる操作だけでなく上下の操作つまり刈刃を上げ下げする操作を伴う。
【００１４】
従来のグリップの設計は、適用する作業機が小型であるか大型であるかに関わりなく設計されており、刈刃を上げ下げする際の操作性に対して十分に配慮しているとは言い難いものであった。このことは刈払機に限定されず、他の作業機においても同様である。
【００１５】
本発明の目的は、作業者が手で握って作業機を操作するハンドルを備えた携帯式作業機を前提として、左右への移動の操作性を損なうことなく、上下への移動の操作性を向上できる携帯式作業機用のグリップ及びこれを適用した刈払機を提供することにある。
【課題を解決するための手段】
【００１６】
上記の技術的課題は、本発明の第１の観点によれば、
作業者が手で操作するハンドルを備え且つ該ハンドルの起立した端部に嵌装されるグリップを有する携帯式作業機を前提として、
前記グリップが、作業者が手で握るための上下方向に延びるグリップ部と、該グリップ部の上端に位置する拡大ヘッドとを有し、
前記拡大ヘッドが、前方に延びる前方拡大部と、外方に延び且つ前記グリップ部を握る手の人差し指が係合可能な下面を有する外側拡大部とで構成され、
前記外側拡大部の下面が、外側方に向けて仰角を有する傾斜面で構成されていることを特徴とする携帯式作業機用のグリップを提供することにより達成される。
【００１７】
上記の技術的課題は、本発明の第２の観点によれば、
動力源と、
該動力源から離れた位置に位置する刈刃と、
前記動力源の回転駆動力を前記刈刃に伝える動力伝達シャフトを包囲する操作桿と、
該操作桿から左右に延びるハンドルとを有する刈払機において、
前記ハンドルの右端部に嵌装されてネジ止めされた右グリップと、
前記ハンドルの左端部に嵌装されてネジ止めされた左グリップとを有し、
前記右グリップは、
右手で把持するグリップ部と、該グリップ部の上端に位置する拡大ヘッドと、前記グリップ部の前面に配置され且つ作業者が操作することにより前記動力源の出力を制御するスロットルトリガとを有し、
前記右グリップの前記拡大ヘッドが、前方に延びる前方拡大部と、右方に延び且つ前記グリップ部を握る右手の人差し指が係合可能な下面を有する外側拡大部とで構成され、
前記外側拡大部の下面が、前方に向けて仰角を有する傾斜面で構成され、
前記拡大ヘッドの上面の後部が後方且つ下方に傾斜した傾斜面で構成され、該上面の傾斜した後部に、前記グリップ部を把持している手の親指を乗せて力を入れることができ、
前記左グリップは、
左手で把持するグリップ部と、該グリップ部の上端に位置する拡大ヘッドとを有し、
前記左グリップの前記拡大ヘッドが、前方に延びる前方拡大部と、左方に延び且つ前記グリップ部を握る左手の人差し指が係合可能な下面を有する外側拡大部とで構成され、
前記外側拡大部の下面が、前方に向けて仰角を有する傾斜面で構成され、
前記拡大ヘッドの上面の後部が後方且つ下方に傾斜した傾斜面で構成され、該上面の傾斜した後部に、前記グリップ部を把持している手の親指を乗せて力を入れることができる刈払機を提供することにより達成される。
【００１８】
すなわち、本発明によれば、作業機の先端部（例えば刈払機であれば刈刃、送風機であればエア吹き出しチューブ）の上げ下げの操作にグリップを把持する手の人差し指を使うことができる。これにより、例えば刈払機に本発明を適用したときには、刈刃の左右への移動の操作性を損なうことなく、刈刃の上下への移動の操作性を向上できる。
【００１９】
本発明の他の目的、本発明の作用効果は、後に説明する本発明の好ましい実施形態の詳しい説明から明らかになろう。
【図面の簡単な説明】
【００２０】
【図１】実施例の刈払機の左前方から見た斜視図である。
【図２】図１に図示の刈払機の左側面図である。
【図３】図１に図示の刈払機の右側面図である。
【図４】図１に図示の刈払機の正面図である。
【図５】図１に図示の刈払機の背面図である。
【図６】図１の刈払機の右グリップを右斜め後方から見た斜視図である。
【図７】図６の右グリップの右側面図である。
【図８】図６の右グリップの左側面図である。
【図９】図６の右グリップの背面図である。
【図１０】図１の刈払機の左グリップを右斜め後方から見た斜視図である。
【図１１】図１０に図示の左グリップの左側面図である。
【図１２】図１０に図示の左グリップの右側面図である。
【図１３】図１０に図示の左グリップの正面図である。
【図１４】図１０に図示の左グリップの背面図である。
【図１５】図１０に図示の左グリップの底面図である。
【図１６】変形例の左グリップを右斜め後方から見た斜視図である。
【図１７】図１６に図示の左グリップの左側面図である。
【図１８】図１６に図示の左グリップの右側面図である。
【図１９】図１６に図示の左グリップの背面図である。
【発明を実施するための形態】
【実施例】
【００２１】
以下に、添付の図面に基づいて本発明を刈払機に適用した具体例を説明する。
【００２２】
図１〜図５は実施例の手持ち式の刈払機１００を示す。図１は刈払機１００の左前方から見た斜視図である。図２は左側面図である。図３は右側面図である。図４は正面図である。図５は背面図である。
【００２３】
図１〜図５を参照して、刈払機１００はその後端部に動力源２を備えた手持ち式の刈払機である。変形例として背負い式であってもよい。動力源２は内燃エンジンで構成され、具体的には２ストローク空冷エンジンである。図示の刈払機１００は大型タイプに分類され、エンジンの排気量は５０ccである。もちろん、排気量は任意であり、５０ccよりも大きくてもよく、また、例えば４０ccというように相対的に小さな排気量であってもよい。
【００２４】
手持ち式の刈払機１００は、その先端部に刈刃４を有し、この刈刃４と駆動源２とは動力伝達シャフト（図面には現れていない）を介して連結されている。動力伝達シャフトは操作桿６によって包囲されている。図中、参照符号８は防護カバーを示す。
【００２５】
動力源２に連なるカバー部材１０は、動力源２と動力伝達シャフトとの間に介在するクラッチ（図面では現れていない）を包囲するために配設されている。このカバー部材１０の前端にハンドル１２が位置決めされている。カバー部材１０は防振構造を有し、この防振構造によって、動力源２と、操作桿６及びハンドル１２との間の振動伝達が抑制される。変形例として、操作桿６にハンドル１２を、直接、位置決めしてもよい。
【００２６】
ハンドル１２は、カバー部材１０を横断する方向に延び、正面視したときにＵ字形状を有している。すなわち、ハンドル１２は起立した左右の端部を有している。具体的にはハンドル１２の端部は各々斜め外方且つ上方に延びている。カバー部材１０の先端部には、ハンドル１２を位置固定するための操作ノブ１４が設けられている。この操作ノブ１４を回転させてハンドル１２を解放することにより、ハンドル１２の取付角度を右又は左に変位させることができる。操作ノブ１４を締め付ける方向に回転させることによりハンドル１２を固定することができる。
【００２７】
ハンドル１２の左右の斜めに起立する端部には、夫々、右グリップ２０、左グリップ２２が装着されている。この左右のグリップ２０、２２は樹脂成型品である。ハンドル１２の端部に左右のグリップ２０、２２を挿入したときに左右のグリップ２０、２２は自由に軸回転可能である。左右のグリップ２０、２２をハンドル１２の端部に挿入し、次いで左右のグリップ２０、２２の回転位置を位置決めした後にネジ２４を締め付ける。これにより、ネジ２４の先端がハンドル１２に食い込んで左右のグリップ２０、２２がハンドル１２に固定される。
【００２８】
操作桿６から右方に離れた位置に位置する右グリップ２０は、作業者が右手で操作する操作部３０を備えている。操作部３０はメインスロットルトリガ３２、エンジンON/OFFスイッチ３４、スロットルロックアウト３６、スロットルラッチ３８を有している。前述したメインスロットルトリガ３２は、右グリップ２０の前面側に配置されている。メインスロットルトリガ３２を操作することによりエンジン出力を制御することができる。
【００２９】
図６〜図９は右グリップ２０を示す。図６は右グリップ２０を右斜め後方から見た斜視図である。図７は右側面図である。図８は左側面図である。図９は背面図である。右グリップ２０は、上下方向に延びるグリップ部４０を有する。右グリップ２０のグリップ部４０は前後方向に延びる長軸を有する略楕円の横断面形状を有している。右グリップ２０は、また、グリップ部４０の上端に位置する拡大ヘッド４２を有する。
【００３０】
拡大ヘッド４２の形状を説明すると、この拡大ヘッド４２は、前方に大きく延びる前方拡大部４４と（図７）、右方（外側方）に延びる外側拡大部４６（図９）とを有している。換言すると、拡大ヘッド４２は、図９から最も良く分かるように、後方及び内方（左方）には延びておらず、拡大ヘッド４２の内面４２ａ及び後面４２ｂ（図９）はグリップ部４０の対応する面から若干膨らみ出しているが、大きく外方に延出する形状ではない。
【００３１】
右グリップ２０の右側面を示す図７を参照して、右グリップ２０の拡大ヘッド４２の右方向に延びる外側拡大部４６は、その下面４６ａが前方に向けて徐々に高位となる傾斜面で構成されている。これにより、右手の人差し指を外側拡大部４６の傾斜した下面４６ａと当接させ、この傾斜した下面４６ａと人差し指との係合によって、刈刃４の上げ下げ操作がやり易くなる。
【００３２】
すなわち、右グリップ２０は、その拡大ヘッド４２において、この右グリップ２０を把持する右手の人差し指を覆うように右方向に拡大している外側拡大部４６の下面４６ａが前方に向けて仰角Ａ（図７）を有する傾斜面で構成されている。外側拡大部４６の下面４６ａを仰角Ａで傾斜させた意図は、この下面４６ａの前後方向のほぼ全域に亘って右手の人差し指を沿わせ且つ人差し指を当接した状態でハンドル１２を操作することができるようにすることにある。また、この下面４６ａは、外側つまり右方に向けて仰角Ｂ（図９）を有する傾斜面で構成されている。前方に向けての仰角Ａは約５°〜約３０°であるのが良く、更に好ましくは約１０°〜約２０°であるのが良く、最も好ましくは約１５度である。また、右方（外側方）に向けての仰角Ｂは約１０°〜約４０°であるのが良く、更に好ましくは約２０°〜約３０°であるのが良く、最も好ましくは約２７度である。
【００３３】
図７を参照して、右グリップ２０の拡大ヘッド４２の上面において、その後部４２ｃは後方に向けて斜め下方に傾斜した比較的平らな面で構成されている。すなわち、この後部４２ｃは、後方に向けて、右グリップ２０の軸線Ｌ(R)の垂線に対して俯角Ｃ（図７）を有する傾斜面で構成されている。この後方に向けての俯角Ｃは１０〜４０°であるのが良く、更に好ましくは２５〜３５°であるのが良い。なお、上記仰角Ａ、Ｂ、俯角Ｃは、これら仰角Ａ、Ｂ、俯角Ｃを備えた各傾斜面が、幾つかの角度の違いのある複数の傾斜面で構成される又は湾曲した傾斜面で構成されることから、測定点によって実測値が様々な値となることを理解されたい。したがって、仰角Ａ、Ｂ、俯角Ｃの上記の数値は代表的な数値であると理解すべきである。
【００３４】
上記の構成を有する右グリップ２０は、右グリップ２０のグリップ部４０を把持する右手の人差し指と親指を使って刈刃４を上げ下げすることができる。例えば刈刃４を持ち上げるときに、右手の人差し指の第１、第２関節を拡大ヘッド４２の前方拡大部４４の下面４４ａ、外側拡大部４６の下面４６ａに当接させて右手を動かす操作を行うことができる。
【００３５】
刈刃４の上げ下げの操作の際には、通常よりも強いグリップ力で握るため、一般的に、右グリップ２０のグリップ部４０を強く握る作業者の右手の親指と人差し指の付け根の部分、より具体的には親指の人差し指側の側面が擦り剥けてしまう。これに対して、右グリップ２０の上述した形状によって回避することができる。すなわち、右グリップ２０の拡大ヘッド４２は、その後方及び左方（内方）には突出していない。この形状によって、強く握る作業が続いても、親指の付け根に局部的に負荷がかかってしまうのを抑制できる。また、親指は比較的自由に移動させることができるため、刈刃４の上げ下げの操作の際に右手の親指と人差し指の付け根の部分、より具体的には親指の人差し指側の側面が擦り剥けてしまうのを、この右グリップ２０の形状によって回避することができる。
【００３６】
上記のように右グリップ２０の形状は親指の自由な移動を可能にするだけでなく、この親指を刈刃４の上下移動、特に刈刃４を下に移動させるための操作に親指を役立てることができる。前述したように、右グリップ２０の拡大ヘッド４２の上面において、その後部４２ｃが後方に向けて斜め下方に傾斜した比較的平らな面で構成されている。刈刃４を下に移動させる操作を行うときに、この傾斜した後部４２ｃに親指を乗せて親指に力を入れることができる。
【００３７】
なお、図７から最も良く分かるように、右グリップ２０を握る右手の人差し指で操作するメインスロットルトリガ３２は、その操作受け面３２ａが凹凸形状の無い滑らかな面で構成されている。これによりメインスロットルトリガ３２を人差し指で操作できる面を拡大することができる。換言すれば、人差し指で操作する部位を凹所で構成してメインスロットルトリガ３２の操作部位を限定したときには、メインスロットルトリガ３２を人差し指で繰り返し操作するうちに人差し指が痛くなる。これに対して、実施例の右グリップ２０ではメインスロットルトリガ３２の操作受け面３２ａが凹凸の無い滑らかな面で構成されているため、人差し指で操作する部位を適度に変えながらメインスロットルトリガ３２を反復的に操作することができる。これにより人差し指が痛くなるのを抑制することができる。
【００３８】
図１０〜図１５は左グリップ２２を示す。図１０は、左グリップ２２を右斜め後方から見た斜視図である。図１１は左側面図である。図１２は右側面図である。図１３は左グリップ２２の正面図である。図１４は背面図である。図１５は左グリップ２２の底面図である。
【００３９】
前述した右グリップ２０は操作部３０を有しているが、これから説明する左グリップ２２は左手で把持するだけの機能に限定されている。操作桿６から左方に離れた位置に位置する左グリップ２２のグリップ部５０は前後方向に延びる長軸を有する略楕円の横断面形状を有している。左グリップ２２は、また、グリップ部５０の上端に位置する拡大ヘッド５２を有する。
【００４０】
左グリップ２２の拡大ヘッド５２の形状を説明すると、この拡大ヘッド５２は、前述した右グリップ２０の拡大ヘッド４２と基本構想は同じである。すなわち、左グリップ２２の拡大ヘッド５２は、前方に大きく延びる前方拡大部５４と（図１２）、外側に延びる外側拡大部５６（図１４）とを有している。換言すると、左グリップ２２の拡大ヘッド５２は、図１５から最も良く分かるように、後方及び内方（右方）には延びておらず、拡大ヘッド５２の内面５２ａ（図１３、図１４）及び後面５２ｂ（図１１、図１２）はグリップ部５０の対応する面とほぼ同じであり外方に突出していない。
【００４１】
左グリップ２２の左側面を示す図１１を参照して、左グリップ２２の拡大ヘッド５２の左方向に延びる外側拡大部５６は、その下面５６ａが前方に向けて高位となる傾斜面で構成されている。
【００４２】
すなわち、左グリップ２２は、その拡大ヘッド５２において、左方向に拡大している外側拡大部５６の下面５６ａが前方に向けて仰角Ｄ（図１１）を有する傾斜面で構成されている。この外側拡大部５６の下面５６ａを仰角Ｄで傾斜させた意図は、この下面５６ａの前後方向のほぼ全域に亘って左手の人差し指を沿わせ且つ人差し指を当接した状態でハンドル１２を操作することができるようにすることにある。また、この下面５６ａは、外側つまり左方に向けて仰角Ｅ（図１３）を有する傾斜面で構成されている。前述した右グリップ２０と同様に、左グリップ２２の前方に向けての仰角Ｄは約５°〜約３０°であるのが良く、更に好ましくは約１０°〜約２０°であるのが良く、最も好ましくは約１５°である。また、前述した右グリップ２０と同様に、左グリップ２２の左方（外側方）に向けての仰角Ｅは約１０°〜約４０°であるのが良く、更に好ましくは約２０°〜約３０°であるのが良く、最も好ましくは約２７°である。
【００４３】
図１１、図１２を参照して、左グリップ２２の拡大ヘッド５２の上面において、その後部５２ｃは後方に向けて斜め下方に傾斜した比較的平らな面で構成されている。すなわち、この後部５２ｃは、後方に向けて、左グリップ２２の軸線Ｌ(L)の垂線に対して俯角Ｆ（図１１、図１２）を有する傾斜面で構成されている。俯角Ｆは１０〜５０°であるのが良く、更に好ましくは２５〜３５°であるのが良い。
【００４４】
上記の構成を有する左グリップ２２は、前述した右グリップ２０と同様に、グリップ部５０を把持する左手の人差し指と親指を使って刈刃４を上げ下げすることができる。例えば刈刃４を持ち上げるときに、左手の人差し指の第１、第２関節を拡大ヘッド５２の前方拡大部５４の下面５４ａ、外側拡大部５６の傾斜した下面５６ａに当接させて左手を動かす操作を行うことができる。
【００４５】
刈刃４の上げ下げの操作の際に、左グリップ２２のグリップ部５０を強く握る左手の親指と人差し指の付け根の部分、より具体的には親指の人差し指側の側面が擦り剥けてしまうのを、この左グリップ２２の形状によって回避することができる。すなわち、左グリップ２２の拡大ヘッド５２は、その後方及び右方（内方）に突出していない。この形状によって、親指は比較的自由に移動させることができるため、刈刃４の上げ下げの操作の際に左手の親指と人差し指の付け根の部分、より具体的には親指の人差し指側の側面が擦り剥けてしまうのを、この左グリップ２２の形状によって回避することができる。
【００４６】
上記のように左グリップ２２の形状は親指の自由な移動を可能にするだけでなく、この親指を刈刃４の上下動作に役立てることができる。特に下に向ける操作に親指を役立てることができる。前述したように、左グリップ２２の拡大ヘッド５２の上面において、その後部５２ｃが後方に向けて斜め下方に傾斜した比較的平らな面で構成されている。この傾斜した後部５２ｃに親指を乗せて親指に力を入れることで、刈刃４を下に移動させるのに親指の力を利用することができる。そして、この親指の力を利用することで、刈刃４を下方に向ける操作に必要とされる力を低減でき、作業者にかかる負担を軽減することができる。
【００４７】
左グリップの変形例（図１６〜図１９）：
図１６〜図１９は変形例の左グリップ６０を示す。図１６は左グリップ６０を右斜め後方から見た斜視図である。図１７は左側面図である。図１８は右側面図である。図１９は背面図である。
【００４８】
変形例の左グリップ６０の説明において、図１０〜図１５を参照して前述した左グリップ２２と同じ要素には同じ参照符号を付して、その説明を省略し、以下に変形例の左グリップ６０の特徴部分を説明する。
【００４９】
変形例の左グリップ６０は、その拡大ヘッド６２が前方拡大部６４、外側拡大部５６を備えている点は前述した左グリップ２２と同じである。また、変形例の左グリップ６０は、拡大ヘッド６２の後部６２ｃが傾斜面で構成されているのも、前述した左グリップ２２と同じである。
【００５０】
しかし、変形例の左グリップ６０は、その前方拡大部６４の形状が前述した左グリップ２２の前方拡大部５４とは異なっている。図１６〜図１８から分かるように、変形例の左グリップ６０の前方拡大部６４は前方に大きく延びている。すなわち、左グリップ２２の前方拡大部５４を更に前方に延長した形状を有している。
【００５１】
また、変形例の左グリップ６０は前方拡大部６４の前端から下方に延びる垂下部６６を更に有し、この垂下部６６は、グリップ部５０の長手方向中間部分まで延びている。この変形例によれば、この垂下部６６は、左グリップ６０を把持する左手を守る防護壁として機能する。すなわち、作業中に木の枝などが左手に当たるのを垂下部６６によって阻止することができる。
【００５２】
前述した左グリップ２２と同様に、変形例の左グリップ６０は、図１７、図１８から最も良く分かるように、拡大ヘッド６２の傾斜した後部６２ｃに左手の親指を乗せることで、前述した左グリップ２２と同様に、左手の人差し指と親指を使って刈刃４を上げ下げすることができる。
【００５３】
変形例の左グリップ６０は、また、その拡大ヘッド６２が右方（内方）に向けて拡大した内側拡大部６８を有している（図１９参照）。この内側拡大部６８は前述した外側拡大部５６と好ましくは実質的に同じ形状を有している。そして、右方に拡大している内側拡大部６８の下面６８ａは前方に向けて仰角Ｄを有する傾斜面で構成されている（図１８参照）。また、この下面６８ａは、内側つまり右方に向けて仰角Ｅを有している。
【００５４】
変形例の左グリップ６０は、また、外側拡大部５６に加えて内側拡大部６８を備えているため、この内側拡大部６８も左手を守る防護壁として機能させることができる。これにより、変形例の左グリップ６０は、これを把持する左手を、その前方、左方、右方の３方向から守ることができる。すなわち、作業中に木の枝などが左手に当たるのを垂下部６６、外側拡大部５６、内側拡大部６８によって阻止することができる。
【００５５】
如上の説明から分かるように、実施例の刈払機１００によれば、刈刃４を左右に動かす操作は勿論のこと、左右のグリップ２０、２２、６０の形状によって刈刃４を上下に動かす際の作業の操作性を向上することができる。
【産業上の利用可能性】
【００５６】
本発明は手持ち式及び背負い式の携帯式作業機に適用できる。その典型例が刈払機、送風機（ブロアー）である。刈払機は手持ち式及び背負い式のいずれにも好適に本発明を適用できる。送風機では背負い式に好適に本発明を適用できる。
【符号の説明】
【００５７】
１００  刈払機
２  動力源
４  刈刃
６  操作桿
１２  ハンドル
２０  右グリップ
２２  左グリップ
２４  グリップ固定用のネジ
４０  右グリップのグリップ部
４２  右グリップの拡大ヘッド
４２ｃ  右グリップの拡大ヘッドの上面の後部（傾斜面）
４４  拡大ヘッドの前方拡大部
４４ａ  前方拡大部の下面
４６  拡大ヘッドの外側拡大部
４６ａ  外側拡大部の下面
５０  左グリップのグリップ部
５２  左グリップの拡大ヘッド
５２ｃ  左グリップの拡大ヘッドの上面の後部
５４  左グリップの前方拡大部
５４ａ  前方拡大部の下面
５６  左グリップの外側拡大部
５６ａ  外側拡大部の下面
【図１】
2015050985.tif 000003
【図２】
2015050985.tif 000004
【図３】
2015050985.tif 000005
【図４】
2015050985.tif 000006
【図５】
2015050985.tif 000007
【図６】
2015050985.tif 000008
【図７】
2015050985.tif 000009
【図８】
2015050985.tif 000010
【図９】
2015050985.tif 000011
【図１０】
2015050985.tif 000012
【図１１】
2015050985.tif 000013
【図１２】
2015050985.tif 000014
【図１３】
2015050985.tif 000015
【図１４】
2015050985.tif 000016
【図１５】
2015050985.tif 000017
【図１６】
2015050985.tif 000018
【図１７】
2015050985.tif 000019
【図１８】
2015050985.tif 000020
【図１９】
2015050985.tif 000021